(57)【要約】本発明は、使用状態で好ましくは体と接触して置かれるための支持体からなり、前記支持体が分散相のコロイド系の少なくとも１つの複合体を含み、前記コロイド系が処理され、かつ律動を与えられるポリマーからなることを特徴とする人体又は動物の体の保護用共鳴デカップリング装置に関する。本発明は、本発明による共鳴デカップリング装置の製作法にも同様に関する。
2004516087.tif 000002
【特許請求の範囲】
【請求項１】
使用状態で好ましくは体と接触して置かれるための支持体からなり、前記支持体が分散相のコロイド系の少なくとも１つの複合体を含み、前記コロイド系が処理され、かつ律動を与えられるポリマーからなることを特徴とする人体又は動物の体の保護用共鳴デカップリング装置。
【請求項２】
前記支持体は、ブレスレット（１１）からなることを特徴とする請求項１に記載の装置。
【請求項３】
前記支持体は、腕時計、ネックレス、イヤリング、眼鏡、ベルトのバックルタイプの装身具からなることを特徴とする請求項１に記載の装置。
【請求項４】
前記支持体は、テーブル、椅子、電灯、時計タイプの家具要素からなることを特徴とする請求項１に記載の装置。
【請求項５】
前記支持体は、衣類、靴、帽子、庇付き帽子タイプの製造商品からなることを特徴とする請求項１に記載の装置。
【請求項６】
前記支持体は、コンピュータ、電話及び特に携帯電話、電子ゲーム、レシーバ、拡声器及び特に携帯用拡声器タイプの電子及び／又は電気機器からなることを特徴とする請求項１に記載の装置。
【請求項７】
前記コロイド系は、マトリックス中に入れられるか、又はカプセル（１０）中に配置されることを特徴とする請求項１から６のいずれかに記載の装置。
【請求項８】
前記コロイド系は、次のミセル：（ＣａＮａ）、（２Ａｌ５）、（Ｓｉ５Ｏ２０）、（ＣａＮａＭｇＦｅＡｌＴｉ）、（ＳｉＡｌ）を少なくとも交互に又は累積的に含むことを特徴とする請求項１から７のいずれかに記載の装置。
【請求項９】
前記コロイド系は、０．００１ミクロン以下の大きさのミセルを含むことを特徴とする請求項１から８のいずれかに記載の装置。
【請求項１０】
前記コロイド系は、特殊な変調された形の、かつ身を守ろうとする１つ又は幾つかの電子及び／又は電気機器に関して使用される特徴的搬送波よりも高い周波数及び小さい振幅の波の複合体を使用して、律動を与えられることを特徴とする請求項１から９のいずれかに記載の装置。
【請求項１１】
少なくともミセル（ＣａＮａ）、（２Ａｌ５）、（Ｓｉ５Ｏ２０）を含むＸｘ４２５ｍｌのコロイド溶液を含む溶液Ａに特殊周波数の順次走査を受けさせること、次に少なくともミセル（ＣａＮａＭｇＦｅＡｌＴｉ）、（ＳｉＡｌ）を含むＸｘ４２５ｍｌのコロイド溶液を含む溶液Ｂに特殊周波数の順次走査を受けさせること、溶液Ｃを形成するために溶液Ａ及びＢを混合すること、及び溶液Ｃを真空で動かさずに置き、Ｘは、数であることを特徴とする人体又は動物の体の保護用共鳴デカップリング装置の製作法。
【請求項１２】
前記コロイド系は、０．００１ミクロン以下の大きさのミセルを含むことを特徴とする請求項１１に記載の方法。
【請求項１３】
前記コロイド系は、特殊な変調された形の、かつ身を守ろうとする１つ又は幾つかの電子及び／又は電気機器に関して使用される特徴的搬送波よりも高い周波数及び小さい振幅の波の複合体を使用して、律動を与えられることを特徴とする請求項１１又は請求項１２に記載の方法。
【請求項１４】
溶液Ａの特殊周波数の順次走査は、正弦かつ逐次波誘導周波数発生器を用いて行われることを特徴とする請求項１１から１３のいずれかに記載の方法。
【請求項１５】
溶液Ｂの特殊周波数の順次走査は、矩形変調波を発生させる逆極性誘導子を有するマイクロパルス周波数発生器を用いて行われることを特徴とする請求項１１から１４のいずれかに記載の方法。
【請求項１６】
溶液Ｃの真空での静止段階は、少なくとも２４時間続くことを特徴とする請求項１１から１５のいずれかに記載の方法。
【請求項１７】
２５℃の温度で行われることを特徴とする請求項１１から１６のいずれかに記載の方法。
【請求項１８】
溶液Ａの走査は、０〜２ＧＨｚで一定のシーケンスに応じて行われ、かつ約２０分続くことを特徴とする請求項１４から１７のいずれかに記載の方法。
【請求項１９】
溶液Ｂの周波数走査は、１つ又は幾つかの電子機器に固有の周波数で、基本搬送波が２０ｋＨｚを超えない一定のシーケンスに応じて行われ、かつ約３０分続くことを特徴とする請求項１５から１８のいずれかに記載の方法。
【請求項２０】
溶液Ａの周波数走査は、０〜１０１３Ｈｚで体系的に行われ、かつ約８分続くことを特徴とする請求項１４から１８のいずれかに記載の方法。
【請求項２１】
溶液Ａは、周波数走査の間、切られていない黒電気石片を含むことを特徴とする請求項２０に記載の方法。
【請求項２２】
溶液Ｂの周波数走査は、０から１０１３Ｈｚで体系的に行われ、かつ約８分続くことを特徴とする請求項２０又は２１のいずれかに記載の方法。
【請求項２３】
溶液Ｂは、周波数走査の間、切られた水晶結晶板片を含むことを特徴とする請求項２２に記載の方法。
【請求項２４】
溶液Ｃの真空での静止段階は、少なくとも７２時間続くことを特徴とする請求項２０から２３のいずれかに記載の方法。
【請求項２５】
段階Ｃは、３５℃の温度で行われることを特徴とする請求項２０から２４のいずれかに記載の方法。
【請求項２６】
静止段階後に、溶液Ｃは、少なくとも１つのマトリックス中に入れられるか、又は少なくとも１つのカプセル（１０）中に入れられることを特徴とする請求項１１から２５のいずれかに記載の方法。
【発明の詳細な説明】
【０００１】
本発明は、人体又は動物の体の保護の分野に関する。
【０００２】
本発明は、特には人体又は動物の体の保護用共鳴デカップリング装置に関する。
【０００３】
人体又は動物の体が、例えば、携帯電話、コンピュータ、ゲームのコンソール等のような電子及び／又は電気機器によって発せられる電磁信号のような、その環境中に存在する電磁信号を捕らえることは知られている。これらの信号は、健康に対して有害な影響を有し得る。
【０００４】
人体又は動物の体が固有の電磁信号を有することも同様に知られている。
【０００５】
本発明は、人体又は動物の体の環境中に存在する電磁信号及び前記体によって捕えられる電磁信号の間の共鳴のデカップリングを引き起こすことを可能にする、人体又は動物の体の保護用装置を提供することを意図する。
【０００６】
そのために、本発明は上記のタイプのものであり、かつ本発明は、装置が使用状態で好ましくは体と接触して置かれるための支持体からなり、前記支持体が分散相のコロイド系の少なくとも１つの複合体を含み、前記コロイド系が処理され、かつ律動を与えられるポリマーからなることにおいて、その最も広い意味で、注目に値する。
【０００７】
デカップリングは、広いスペクトル領域上で、かつ特に電子及び／又は電気機器によって使用される領域中でコロイド溶液複合体に律動を与えて行われる。これらの条件は、衛星によって操作される時計の時間を恒久的に調整するために使用される系のように、人体のバイオサイバネティックスに関して責任を負う神経回路を操縦することを効果とする。
【０００８】
本発明の応用例において、前記支持体は、腕時計、ネックレス、イヤリング、眼鏡、ベルトのバックルタイプの装身具からなる。
【０００９】
本発明の好ましい応用例において、前記支持体は、ブレスレットからなる。
【００１０】
本発明のもう一つの応用例において、前記支持体は、テーブル、椅子、電灯、時計タイプの家具要素からなる。
【００１１】
本発明のもう一つの応用例において、前記支持体は、衣類、靴、帽子、庇付き帽子タイプの製造商品からなる。
【００１２】
本発明のもう一つの応用例において、前記支持体は、コンピュータ、電話及び特に携帯電話、電子ゲーム、レシーバ、拡声器及び特に携帯用拡声器タイプの電子及び／又は電気機器からなる。
【００１３】
コロイド系は、好ましくはマトリックス又はカプセル中に入れられる。
【００１４】
コロイド系は、好ましくは次のミセル：（ＣａＮａ）、（２Ａｌ５）、（Ｓｉ５Ｏ２０）、（ＣａＮａＭｇＦｅＡｌＴｉ）、（ＳｉＡｌ）を少なくとも交互に又は累積的に含む。
【００１５】
コロイド系は、好ましくは０．００１ミクロン以下の大きさのミセルを含む。
【００１６】
前記コロイド系は、好ましくは、特殊な変調された形の、かつ身を守ろうとする１つ又は幾つかの電子及び／又は電気機器に関して使用される特徴的搬送波よりも高い周波数及び小さい振幅の波の複合体を使用して、律動を与えられる。
【００１７】
本発明は、少なくともミセル（ＣａＮａ）、（２Ａｌ５）、（Ｓｉ５Ｏ２０）を含むＸｘ４２５ｍｌのコロイド溶液を含む溶液Ａに特殊周波数の順次走査を受けさせること、次に少なくともミセル（ＣａＮａＭｇＦｅＡｌＴｉ）、（ＳｉＡｌ）を含むＸｘ４２５ｍｌのコロイド溶液を含む溶液Ｂに特殊周波数の順次走査を受けさせること、溶液Ｃを形成するために溶液Ａ及びＢを混合すること、及び溶液Ｃを真空で動かさずに置き、Ｘは、数であることを特徴とする共鳴によるデカップリング装置の製作法にも同様に関する。
【００１８】
溶液Ａの特殊周波数の順次走査は、正弦かつ逐次波誘導周波数発生器を用いて行われ、かつ溶液Ｂの特殊周波数の順次走査は、矩形変調波を発生させる逆極性誘導子を有するマイクロパルス周波数発生器を用いて行われる。
【００１９】
溶液Ｃの真空での静止段階は、少なくとも２４時間続く。
【００２０】
この方法は、２５℃の温度で行われる。
【００２１】
この方法は、本質的に２つの応用例を有する。第１の応用例は、特定の電子及び／又は電気機器に対する保護に適した特殊な装置を製作することを可能にし、かつ第２の応用例は、普通の有害なあらゆる電子及び／又は電気機器に対する保護に適した一般的装置を製作することを可能にする。
【００２２】
第１の応用例において、溶液Ａの周波数走査は、一定のシーケンスに応じて０〜２ＧＨｚで行われ、かつ約２０分続く。
【００２３】
溶液Ｂの周波数走査は、１つ又は幾つかの電子及び／又は電気機器に固有の周波数で、基本搬送波が２０ｋＨｚを超えない一定のシーケンスに応じて行われ、かつ約３０分続く。
【００２４】
各溶液の処理は、１つ又は幾つかの正確な電子及び／又は電気機器に対して備えられる保護装置の製造に対応する。というのもシーケンスの選択は、この又はこれらの電子及び／又は電気機器の固有の周波数次第だからである。
【００２５】
第２の応用例において、溶液Ａの周波数走査は、０〜１０１３Ｈｚで体系的に行われ、かつ約８分続く。溶液Ａは、周波数走査の間、切られていない黒電気石片を含む。
【００２６】
溶液Ｂの周波数走査は、０から１０１３Ｈｚで体系的に行われ、かつ約８分続く。溶液Ｂは、周波数走査の間、切られた水晶結晶板片を含む。
【００２７】
溶液Ｃの真空での静止段階は、少なくとも７２時間続く。
【００２８】
この段階Ｃは、好ましくは３５℃の温度で行われる。
【００２９】
応用例がどのようなものであろうと、静止段階後に、溶液Ｃは、好ましくは少なくとも１つのマトリックス中に入れられるか、又は少なくとも１つのカプセル（１０）中に入れられる。
【００３０】
好適には、方法の第１の応用例の利用によって製作される装置は、しばしば使用される個人的機器の作用から身を守ることを可能にする。
【００３１】
好適には、方法の第２の応用例の利用によって製作される装置は、装置の周囲で通常使用されるあらゆる機器の作用から身を守ることを可能にする。例えばブレスレットの形で製作されるこの装置は、このようにして、特に例えば空港又は駅のような、他の利用者による電子及び／又は電気機器の集中的使用のために特に電磁波が存在する環境中の電磁波の放射から保護されることを可能にする。
【００３２】
本発明の実施態様の、専ら説明として以下になされる記載の助けを借りれば、本発明をより良く理解することができるであろう。この記載は、添付図面を参照して、本発明の応用の可能性に関してなされる。
【００３３】
本発明による装置は、電子及び／又は電気機器によって発せられる電磁信号及び人体により捕らえられる電磁信号の間の共鳴のデカップリング装置である。
【００３４】
本発明による装置は、使用状態で好ましくは体と接触して置かれるための支持体からなり、前記支持体が分散相のコロイド系の少なくとも１つの複合体を含み、前記コロイド系が処理され、かつ律動を与えられるポリマーからなることを特徴とする。
【００３５】
前記コロイド系は、少なくとも１つの特殊な波発生器、及び好ましくは２つの特殊な波発生器によって処理されるポリマーからなる。前記コロイド系は、特殊な変調された形の、かつ身を守ろうとする電子及び／又は電気機器に関して使用される特徴的搬送波よりも高い周波数及び小さい振幅の波の複合体を使用して、律動を与えられる。
【００３６】
前記コロイド系は、マトリックス中に入れられるか、又は完全に満たされ、かつ気泡及び空気のないカプセル（１０）中に配置される。
【００３７】
装置製作に必要な最低の機材の目録：
・正弦かつ逐次波誘導周波数発生器（発生器１）、
・矩形変調波を発生させる逆極性誘導子を有するマイクロパルス周波数発生器（発生器２）、
・次の寸法の２つの強磁性ブロック：７５ｘ７５ｘ３８０ｍｍ、
・白色ガラスのＸｘ５００ｍｌの２つのフラスコ、
・褐色ガラスのＸｘ１０００ｍｌのフラスコ、
・空気循環する恒温槽、
・吸収栓、
・次の式の０．００１ミクロン以下の大きさのミセルを有する２つのコロイド溶液：
・一方の（溶液Ａ）に関して（ＣａＮａ）（２Ａｌ５）（Ｓｉ５Ｏ２０）（６Ｈ２Ｏ）及び、
・他方の（溶液Ｂ）に関して（ＣａＮａＭｇＦｅＡｌＴｉ）（ＳｉＡｌ）２（Ｏ６）、
・溶液製作の際に、溶液Ａ及びＢに溶剤として役立つ蒸留水（水Ｄ）。
Ｘは数字である。
【００３８】
方法の第１の応用例の様々な製作段階の説明：
１）Ｘｘ５００ｍｌの白色ガラスフラスコ中に、約０．３‰のミセル濃度を有するＸｘ４２５ｍｌの溶液Ａを注ぐ。このようにして満たされた、栓をしたフラスコは、各強磁性ブロックから約２５ｃｍの距離に位置付けられねばならない。全ては、空気循環する恒温槽中に置かれねばならない。２つのブロックは、発生器１に連結される。作用時間：２０分。周波数の順次走査は、０〜２ＧＨｚ、約０．１Ｈｚから２ＧＨｚに位置付けられる。各走査は、特定の電子及び／又は電気機器の固有の周波数次第であるので、特殊であり、かつこの機器に対して備えられる保護装置の製造に対応する。
【００３９】
走査は、例えば１０ＭＨｚまで１００Ｈｚシーケンスにより、次に２ＧＨｚまで５００Ｈｚのシーケンスにより、しかも正弦、交互かつ逐次の波列に従って行われる。７秒の休止時間が１１秒毎に保たれる。搬送波の各パルスの増大時間は、その減少時間に等しく、かつ約＋及び−１０−２秒である。
【００４０】
２）Ｘｘ５００ｍｌの白色ガラスフラスコ中に、約０．５‰のミセル濃度を有するＸｘ４２５ｍｌの溶液Ｂを注ぐ。このようにして満たされた、栓をしたフラスコは、各強磁性ブロックから約２５ｃｍの距離に位置付けられねばならない。全ては、空気循環する恒温槽中に置かれねばならない。２つのブロックは、発生器２に連結される。作用時間３０分。走査は、１つ又は幾つかの特定の電子及び／又は電気機器の固有の周波数次第であるので、特殊であり、かつこの又はこれらの機器に対して備えられる保護装置の製造に対応する。
【００４１】
走査は、例えば１秒の各パルスの後に１秒の休止時間を守り、７．８Ｈｚのシーケンスにより行われる。基本搬送波の周波数は、２０ｋＨｚを超えない。変調波は、矩形である。順次走査は、増大時間が、減少時間よりも大きく、かつそれぞれ約＋１０−８秒及び＋１０−３秒であり、次に−１０−８秒及び−１０−３秒である、非常に急激な攻撃勾配を有する交互マイクロパルスに従って行われる。
【００４２】
３）溶液Ｃを得るために、溶液Ａ及びＢを褐色ガラスのＸｘ１０００ｍのフラスコ中に移し替える。
【００４３】
４）真空が作られる恒温槽中に溶液Ｃを保存する。
【００４４】
５）最低２４時間後に、溶液Ｃは準備ができる。溶液Ｃは、その場合例えば複合材料のマトリックス中に入れられるか、又はカプセル中に入れられ得る。
【００４５】
製造は、２５℃（＋又は−０．５°）の温度でなされるべきである。
【００４６】
方法の第２の応用例の様々な製作段階の説明：
１）Ｘｘ５００ｍｌの白色ガラスフラスコ中に、約０．２‰のミセル濃度を有するＸｘ４２５ｍｌの溶液Ａを注ぐ。このようにして満たされた、栓をしたフラスコは、各強磁性ブロックから約２５ｃｍの距離に位置付けられねばならない。全ては、空気循環する恒温槽中に置かれねばならない。２つのブロックは、発生器１に連結される。作用時間：８分。周波数の順次走査は、０〜１０１３Ｈｚ、約０．１Ｈｚから１０１３Ｈｚに位置付けられる。走査は、１０１３Ｈｚの限界周波数まで体系的に行われる。使用される基本波は、より小さい振幅の波を強制的に伴う。
【００４７】
走査は、例えば１０ＭＨｚまで１００Ｈｚシーケンスにより、次に１０１３Ｈｚまで５００Ｈｚのシーケンスにより、しかも正弦、交互かつ逐次の波列に従って行われる。１秒の休止時間が１秒毎に保たれる。搬送波の各パルスの増大時間は、その減少時間に等しく、かつ約＋及び−１０−２秒である。
【００４８】
調製は、好ましくは溶液Ａの物理的調製の間、溶液Ａに浸漬され、次に溶液Ａの溶液Ｂとの混合前に取り出される、切られていない黒電気石（電気石）片の存在下で行われる。この黒電気石片は、溶液Ａの体積がＸｘ１０ｍｌ増加するようになっている。
【００４９】
２）Ｘｘ５００ｍｌの白色ガラスフラスコ中に、約０．３‰のミセル濃度を有するＸｘ４２５ｍｌの溶液Ｂを注ぐ。このようにして満たされた、栓をしたフラスコは、各強磁性ブロックから約２５ｃｍの距離に位置付けられねばならない。全ては、空気循環する恒温槽中に置かれねばならない。２つのブロックは、発生器２に連結される。作用時間８分。
【００５０】
走査は、例えば１秒の各パルスの後に１秒の休止時間を守り、１ｋＨｚのシーケンスにより、０から１０１３Ｈｚで体系的に行われる。基本搬送波に結合した波の周波数は、１０１３Ｈｚを超えない。変調波は、矩形である。順次走査は、増大時間が、減少時間よりも大きく、かつそれぞれ約＋１０−８秒及び＋１０−３秒であり、次に−１０−８秒及び−１０−３秒である、非常に急激な攻撃勾配を有する交互マイクロパルスに従って行われる。
【００５１】
調製は、好ましくは溶液Ｂの物理的調製の間、溶液Ｂに浸漬され、次に溶液Ｂの溶液Ａとの混合前に取り出される、切られた水晶結晶板片の存在下で行われる。この水晶結晶板片は、溶液Ｂの体積がＸｘ５ｍｌ増加するようになっている。
【００５２】
３）溶液Ｃを得るために、溶液Ａ及びＢを褐色ガラスのＸｘ１０００ｍのフラスコ中に移し替える。
【００５３】
４）３５℃（＋又は−０．５°）の温度で、真空が作られる恒温槽中に溶液Ｃを保存する。
【００５４】
５）最低７２時間後に、溶液Ｃは準備ができる。溶液Ｃは、その場合例えば複合材料のマトリックス中に入れられるか、又はカプセル中に入れられ得る。
【００５５】
これら全ての条件を守ることにより、有効であり、かつ少なくとも３年間安定する生成物を得ることが可能になる。
【００５６】
従って、方法の２つの応用例において、適切な機材によって読み取られ得る、基礎溶液の分子配列の最初の構造を変更する周波数の「登録」が行われた。この場合において、このようにして「情報を得」かつ「登録された」溶液Ｃを読み取るのは、生体細胞が発しかつ受け取る信号である。
【００５７】
本発明によるデカップリング系の実態は、血液採取に対して確認された。
【００５８】
あらゆる物質は、光への偏光方向を表示することが可能である。回転偏光は、前述の器具（携帯電話、コンピュータ、ゲームのコンソール等）の使用の際に、正常状態に対して逆にされ、次に本発明の使用の数週間後に再び正常になることが確認された。
【００５９】
更に、筋応力の実験の際に、本発明は、同じ所与の時間において半分だけ減少した疲労度を可能にすることが確認された；このことは、より良い「免疫学的覚醒」の従来認められる特徴である。
【００６０】
同様に更に、ヒトの中枢及び自律神経系の行動に対して行われたテストは、脊髄から現れる根のレベルで、並びに対応する体節性領域中で一般的に確認される神経干渉が、前述の電子及び／又は電気機器の使用の際に、我々の発明の使用後数週間で消失することを証明している。
【００６１】
前述の電子及び／又は電気機器の使用の際に一般的に混乱するヒトの内部環境のイオン運動の始動は、本発明の使用開始後、数週間で、正常な働きを取り戻す。
【００６２】
個人使用の電子及び／又は電気機器は、生物学的信号と同一の幾つかの信号を生じさせる。実際、ヒトの細胞間連絡の際に使用される周波数のスペクトル領域の分布の対数曲線は、２つの系（情報処理／電子／電気機器及び人体）が、多数の共通な周波数に対して機能し、かつ従って共鳴状態になり得ることを示す。この共鳴状態になることを避ける唯一の条件は、「生物学的基準」により近く、かつ従って有害な生物学的効果を引き起こす可能性のある共鳴状態になることとのデカップリング作用を引き起こすことが可能なもう一つの共鳴を引き起こすことである。
【００６３】
マトリックス中に入れられた、又は完全に溶液Ｃで満たされたカプセル中に入れられた溶液Ｃの使用態様は、多い。
【００６４】
図１及び２は、支持体が、カプセル（１０）を含むブレスレット（１１）からなる本発明の実施態様を示す。
【００６５】
カプセル（１０）は、円形開口部を有し、これらの開口部に沿って組み立てられる２つの半外殻（ｄｅｍｉ−ｃｏｑｕｅｓ）（１２、１２’）からなる。２つの半外殻の組立により、閉鎖リング（１４）、次にゴム継ぎ手（１５）及び固定化リング（１６）が中に位置決めされる円形頸部（１３）が作られる。
【００６６】
次にアセンブリは、ブレスレット（１１）中に設けられた穴（１７）に挿入される。ブレスレット閉鎖手段は、矢印に従ったカプセル上のブレスレット閉鎖を容易にするために備えられ得る。
【００６７】
カプセル（１０）は、約３０ミリメートルの直径及び約１５ミリメートルの高さを有する。その内容積は、少なくとも８ｍｌである。カプセル（１０）は、溶液Ｃで完全に満たされる。気泡も空気もない。上部半外殻（１２）は、好ましくは、不透明な表面を有し、かつ皮膚と接触する下部半外殻（１２’）は、好ましくは、透明な表面を有する。更に、ブレスレットは、腕の周りを回転せず、かつ常に正しく位置決めされるために、好ましくは丸みを付けて製作される。
【００６８】
上記実施例において、カプセル（１０）は、装飾要素となるが、カプセルが時計の側の下に配置されることを検討することは、当然に可能である。接着剤により皮膚に直接密着するドロップの形にカプセルを製作することは、可能でさえある。
【００６９】
溶液Ｃが入れられた１つ又は幾つかのマトリックス及び／又は溶液Ｃで満たされた１つ又は幾つかのカプセルを、製造商品中に組み込むことは可能である。例えば、織物繊維のマイクロカプセル化技術を使用することが可能である。靴の場合、カプセルは、靴底に組み込まれ得る。
【００７０】
溶液Ｃが入れられた１つ又は幾つかのマトリックス及び／又は溶液Ｃで満たされた１つ又は幾つかのカプセルを、家具要素中に組み込むことも同様に可能である。
【００７１】
溶液Ｃが入れられた１つ又は幾つかのマトリックス及び／又は溶液Ｃで満たされた１つ又は幾つかのカプセルを、作用から身を守ろうとする、電子及び／又は電気機器中に直接組み込むことも同様に可能である。例えば、カプセルを、機器の保護ケース中、又は基部ケースに取り付け可能なケース中に直接組み込むことが可能である。
【００７２】
本発明は、以上において例として記載された。当業者ならば、特許の枠から逸脱することなく、発明の様々な応用例を製作することができることは、理解される。
【図面の簡単な説明】
【図１】
カプセルを含む本発明によるブレスレットの分解組立部分斜視図を示す。
【図２】
組み立てられた図１のブレスレットの部分斜視図を示す。
【図１】
2004516087.tif 000003
【図２】
2004516087.tif 000004
【国際公開パンフレット】
2004516087.tif 000005
2004516087.tif 000006
2004516087.tif 000007
2004516087.tif 000008
2004516087.tif 000009
2004516087.tif 000010
2004516087.tif 000011
2004516087.tif 000012
2004516087.tif 000013
2004516087.tif 000014
2004516087.tif 000015
2004516087.tif 000016
2004516087.tif 000017
2004516087.tif 000018
2004516087.tif 000019
2004516087.tif 000020
2004516087.tif 000021
2004516087.tif 000022
2004516087.tif 000023
2004516087.tif 000024
2004516087.tif 000025
【国際調査報告】
2004516087.tif 000026
2004516087.tif 000027
2004516087.tif 000028
2004516087.tif 000029